(57)【要約】【課題】角穴形状の取り付け孔が無くても、電気機器収納用箱のアクリル板などのパネルを固定できるようにすること。【解決手段】電気機器収納用箱の扉又は側板として用いられる本体に設けられる窓孔８３を覆うパネル９１を固定する固定部材１であって、窓孔８３周辺に設けられた取付部８１を挿入する固定部２と、パネル９１を支持する支持部３と、パネル９１を載置する載置面に当接する当接部４１と、を備えた構成とする。【選択図】図６
2019050289.tif 000002
【特許請求の範囲】
【請求項１】
電気機器収納用箱の扉又は側板として用いられる本体に設けられる窓孔を覆うパネルを固定する固定部材であって、窓孔周辺に設けられた取付部を挿入する固定部と、パネルを支持する支持部と、パネルを載置する載置面に当接する当接部と、を備えた固定部材。
【請求項２】
固定部が支持部及び当接部よりも上側に配置され、固定部の一方側で支持部がパネルを支持し、他方側で当接部が載置面に当接する請求項１に記載の固定部材。
【請求項３】
支持部から見て当接部側にパネルが侵入可能な凹部を形成する請求項１又は２に記載の固定部材。
【発明の詳細な説明】
【技術分野】
【０００１】
本発明は、電気機器収納用箱の扉又は側板として用いられる本体に設けられる窓孔を覆うパネルを固定する固定部材に関するものである。
【背景技術】
【０００２】
電気機器収納用箱の扉や側板に設けた窓孔を覆うようにアクリル板や硝子板やパンチングメタルなどのパネルを取り付け保持するために固定部材を取り付けることが知られている。従来は、特許文献１に記載されているように、窓孔周囲に配置された固定金具に対して角穴形状の取付孔を設け、その取付孔に固定部材を取り付けていた。
【先行技術文献】
【特許文献】
【０００３】
【特許文献１】特開２００２−３１１１０号公報
【０００４】
ところで、従来の固定部材は、取付孔が存在する箇所にしか固定部材を取り付けることができなかった。
【発明の概要】
【発明が解決しようとする課題】
【０００５】
本件の発明者は、この点について鋭意検討することにより、解決を試みた。本発明の課題は、角穴形状の取り付け孔が無くても、電気機器収納用箱のアクリル板などのパネルを固定できるようにすることである。
【課題を解決するための手段】
【０００６】
上記課題を解決するため、電気機器収納用箱の扉又は側板として用いられる本体に設けられる窓孔を覆うパネルを固定する固定部材であって、窓孔周辺に設けられた取付部を挿入する固定部と、パネルを支持する支持部と、パネルを載置する載置面に当接する当接部と、を備えた固定部材とする。
【０００７】
また、固定部が支持部及び当接部よりも上側に配置され、固定部の一方側で支持部がパネルを支持し、他方側で当接部が載置面に当接する構成とすることが好ましい。
【０００８】
また、支持部から見て当接部側にパネルが侵入可能な凹部を形成する構成とすることが好ましい。
【発明の効果】
【０００９】
本発明では、角穴形状の取り付け孔が無くても、電気機器収納用箱のアクリル板などのパネルを固定できるようにすることが可能となる。
【図面の簡単な説明】
【００１０】
【図１】実施形態における固定部材の斜視図である。
【図２】扉の分解斜視図である。
【図３】固定部材によりパネルが本体に固定された扉の斜視図である。
【図４】電気機器収納用箱の斜視図である。
【図５】固定部材を取り付ける箇所付近を部分的に拡大して表した図である。但し、固定部材は取り付けていない状態を表している。
【図６】固定部材を取り付けた箇所付近を部分的に拡大して表した図である。
【図７】固定部材と本体とパネルとの関係を表す断面図である。
【発明を実施するための形態】
【００１１】
以下に発明を実施するための形態を示す。本実施形態の固定部材１は、電気機器収納用箱１０の扉又は側板として用いられる本体８に設けられる窓孔８３を覆うパネル９１を固定するために用いられる。この固定部材１は、窓孔８３の周辺に設けられた取付部８１を挿入する固定部２を備えている。また、パネル９１を支持する支持部３と、パネル９１を載置する載置面８５に当接する当接部４１を備えている。このため、角穴形状の取り付け孔が無くても、電気機器収納用箱１０のアクリル板などのパネル９１を固定することが可能となる。
【００１２】
実施形態の固定部材１は、樹脂を用いて形成されており、平板状の胴部５を備えている。また、図１に示されていることから理解されるように、この胴部５から一方側に延びるように支持部３が設けられている。この支持部３の先端側は、パネル９１と対向する支持面３１を備えている。支持部３は、厚さの異なるパネル９１の固定に対応できるようにするため、弾性を備えた板形状とすることが好ましい。
【００１３】
また、実施形態の固定部材１は、胴部５から他方側に延びる突出部位４が設けられており、この突出部位４には、載置面８５に当接する当接部４１を備えている。また、胴部５には、固定面６が設けられている。この固定面６と突出部位４を、取付部８１を挿入する空間を形成するように配置することで、固定部２が形成されている。
【００１４】
固定部材１は、図２に示すような窓孔８３を備えた扉などにパネル９１を固定するために用いられるものであり、図３に示すように、パネル９１の周囲を押さえつけるように用いられる。この際、固定部材１は、窓孔８３の周囲に設けられる取付部８１が挿入される固定部２と、パネル９１を支持する支持部３と、窓孔８３周囲のパネル９１の載置面８５に当接する当接部４１との３つが機能して、パネル９１を固定する。なお、図３に示す例においては、固定部材１は扉の裏面側に配置されている。このため、図４に示すことから理解されるように、電気機器収納用箱１０の内側に位置することになる。
【００１５】
ここで、固定部材１の取り付け方を説明する。図５に示すように、本体８に設けた窓孔８３を覆うようにパネル９１を配置する。この時点で、パネル９１は載置面８５に載置される。固定部材１の固定部２に取付部８１を嵌め込むようにすることで、図６に示すように、支持部３でパネル９１の端部を押さえつけることが可能となる。なお、図５に示すように、取付部８１付近に引掛け孔８７を設けておき、固定部材１に、この引掛け孔８７に引っ掛かることが可能な引掛け部を設けておけば、固定部材１の脱落を抑制することが可能となる。また、固定部材１の挿入方向と直交する方向に固定部材１がスライドすることを抑制することが可能となる。
【００１６】
図７に示すことから理解されるように、実施形態の固定部材１は、固定部２の一方側で支持部３がパネル９１を支持し、他方側で当接部４１が載置面８５に当接するように構成されている。より具体的には、図７に示す例では、固定部２の後方側で支持部３がパネル９１を支持し、前方側で当接部４１が載置面８５に当接するように構成されている。図７に示す例では、固定部材１は、固定部２が上方側、当接部４１と支持部３が下方側に位置している。また、当接部４１が当接する載置面８５よりも、支持部３が支持するパネル９１の方が高い位置にある。このため、支持部３から固定部材１を回転させようとする力が発生してしまうが、頂点に位置する固定部２の前方に当接部４１が位置し、後方に支持部３が位置する構成であるため、当接部４１が固定部材１の回転を防ぐことができる。
【００１７】
ところで、図３に示すことから理解されるように、固定部材１は、パネル９１の両端部に取り付けられる。実施形態の固定部材１は、支持部３から見て当接部４１側にパネル９１が侵入可能な空間ＳＰを形成する凹部１２を備えているため、一方端の固定部材１を取り付けた後、図７の太矢印に示すように、パネル９１を移動させれば、他方端の固定部材１の取り付け、取り外しを容易にすることが可能となる。
【００１８】
以上、実施形態を用いて説明してきたが、本発明は上記実施形態に限定されることはなく、各種の態様とすることが可能である。例えば、胴部から突出する突出部位は二つでなくともよく、一つ又は三つ以上とすることも可能である。
【００１９】
実施形態では、本体を折り曲げることで形成された本体端部を、窓孔周辺に位置するようにして、固定部に挿入される取付部としているが、固定部に挿入される取付部は、このように形成することに限らない。例えば、窓孔周辺に位置する本体に孔を設け、この孔の縁を固定部に挿入される取付部とすることも可能である。なお、取付部は、窓孔周辺に位置し、固定部が挿入されるものなら如何なる形状であっても構わない。
【００２０】
支持部が弾性変形する構成であれば、ある程度のパネルの厚みの違いに対応可能であるが、よりパネルの厚みの違いに対応しやすくするため、支持部の支持面を階段状に形成しても良い。
【００２１】
パネルは、アクリル板である必要は無く、アクリル板と同様に、電気機器収納用箱の内部を見るために設けられる硝子板などとすることも可能である。また、電気機器収納用箱の温度を調整するために設けられるパンチングメタルなどとすることも可能である。
【００２２】
パネルを固定する本体は、扉として機能させるものではなく、側板として機能させるものであっても良い。
【００２３】
胴部は平板状である必要は無く、各種の形態とすることが可能である。
【符号の説明】
【００２４】
１  固定部材
２  固定部
３  支持部
８  本体
１０  電気機器収納用箱
１２  凹部
４１  当接部
８１  取付部
８３  窓孔
８５  載置面
９１  パネル
ＳＰ  空間
【図１】
2019050289.tif 000003
【図２】
2019050289.tif 000004
【図３】
2019050289.tif 000005
【図４】
2019050289.tif 000006
【図５】
2019050289.tif 000007
【図６】
2019050289.tif 000008
【図７】
2019050289.tif 000009